【手続補正書】
【提出日】平成26年1月23日(2014.1.23)
【手続補正１】
【補正対象書類名】特許請求の範囲
【補正対象項目名】全文
【補正方法】変更
【補正の内容】
【特許請求の範囲】
【請求項１】
複数のヘッドモジュールを長手方向につなぎ合わせて構成されるインクジェットヘッドの液体吐出面に洗浄液を付与する洗浄液付与手段と、
隣接するヘッドモジュール間の前記長手方向における隙間に挿入可能な形状を有する先端部を具備し、前記洗浄液付与手段によって前記液体吐出面に洗浄液が付与された後に、前記先端部を前記隙間の中に挿入させて前記隙間の中の洗浄液を掻き取る掻取部材と、
前記掻取部材によって前記隙間内の洗浄液が掻き取られた後に、前記液体吐出面を払拭する払拭部材と、
を備えたことを特徴とする洗浄装置。
【請求項２】
前記掻取部材及び前記払拭部材を前記液体吐出面に当接させたときに、前記掻取部材の前記液体吐出面への当接量は、前記払拭部材の前記液体吐出面への当接量を超えることを特徴とする請求項１に記載の洗浄装置。
【請求項３】
前記掻取部材の先端部は、前記隙間の前記長手方向における長さの最大値未満の同方向における長さを有することを特徴とする請求項１又は２に記載の洗浄装置。
【請求項４】
前記掻取部材は、平板状の部材であり、前記先端部は１つ以上の切り欠きが設けられる櫛歯形状を有することを特徴とする請求項１から３のいずれか１項に記載の洗浄装置。
【請求項５】
前記掻取部材の先端部は、前記長手方向に沿う断面線による断面形状が略三角形形状又は略台形形状を有することを特徴とする請求項１から４のいずれか１項に記載の洗浄装置。
【請求項６】
前記掻取部材は、略円柱形状又は略円すい形状のピンが１つ以上設けられる構造を有することを特徴とする請求項１から３のいずれか１項に記載の洗浄装置。
【請求項７】
前記掻取部材を振動させる加振手段を備えたことを特徴とする請求項１から６のいずれか１項に記載の洗浄装置。
【請求項８】
前記掻取部材は、前記先端部に前記隙間から洗浄液を吸引する吸引口が設けられるとともに、前記吸引口と連通する吸引流路が設けられ、
前記吸引流路を介して吸引口に吸引圧力を発生させる吸引手段を備えたことを特徴とする請求項１から７のいずれか１項に記載の洗浄装置。
【請求項９】
複数のヘッドモジュールを長手方向につなぎ合わせて構成されるインクジェットヘッドと、
前記インクジェットヘッドを洗浄する洗浄装置と、
を備え、
前記洗浄装置は、前記インクジェットヘッドの液体吐出面に洗浄液を付与する洗浄液付与手段と、
隣接するヘッドモジュール間の前記長手方向における隙間に挿入可能な形状を有する先端部を具備し、前記洗浄液付与手段によって前記液体吐出面に洗浄液が付与された後に、前記先端部を前記隙間の中に挿入させて前記隙間の中の洗浄液を掻き取る掻取部材と、
前記掻取部材によって前記隙間内の洗浄液が掻き取られた後に、前記液体吐出面を払拭する払拭部材と、
を備えたことを特徴とする液体吐出装置。
【請求項１０】
前記インクジェットヘッドの長手方向について、前記インクジェットヘッドと前記洗浄装置、前記掻取部材及び前記払拭部材とを相対的に移動させる移動手段を備えたことを特徴とする請求項９に記載の液体吐出装置。
【請求項１１】
前記掻取部材は、前記払拭部材と一体に構成され、
前記移動手段は、前記インクジェットヘッドと前記掻取部材及び前記払拭部材とを前記長手方向について相対移動させることを特徴とする請求項１０に記載の液体吐出装置。
【請求項１２】
前記インクジェットヘッドは、液体吐出面が水平面に対して傾けられており、
前記掻取部材は、前記液体吐出面に対応して水平面に対して傾けられて配置されるとともに、前記隙間の前記長手方向と直交する方向の全長未満の同方向における長さを有し、かつ、前記隙間の傾斜の最上部に挿入されることを特徴とする請求項９から１１のいずれか１項に記載の液体吐出装置。
【請求項１３】
前記洗浄液付与手段は、前記液体吐出面の傾斜に対応して水平面に対して傾けられ、洗浄液の膜が形成される洗浄液膜保持面を具備するとともに、前記洗浄液膜保持面の傾斜上部から前記洗浄液膜保持面へ洗浄液を供給する洗浄液供給部を具備し、前記洗浄液膜保持面に形成された洗浄液膜を前記液体吐出面に接触させて、前記液体吐出面に洗浄液を付与し、
前記掻取部材は、前記洗浄液供給部により洗浄液が供給される位置に対応する前記隙間の位置に挿入されることを特徴とする請求項１２に記載の液体吐出装置。
【請求項１４】
前記洗浄装置は、請求項２から８のいずれか１項に記載の洗浄装置を含むことを特徴とする請求項９から１３のいずれか１項に記載の液体吐出装置。
【請求項１５】
複数のヘッドモジュールを長手方向につなぎ合わせて構成されるインクジェットヘッドの液体吐出面に洗浄液を付与する洗浄液付与工程と、
隣接するヘッドモジュール間の前記長手方向における隙間に挿入可能な形状を有する先端部を具備し、前記インクジェットヘッドの液体吐出面に洗浄液を付与する洗浄液付与手段によって前記液体吐出面に洗浄液が付与された後に、掻取部材の先端部を前記隙間の中に挿入させて前記隙間の中の洗浄液を掻き取る掻取工程と、
前記掻取部材によって前記隙間内の洗浄液が掻き取られた後に、前記液体吐出面を払拭する払拭工程と、
を含むことを特徴とするインクジェットヘッドの洗浄方法。
【請求項１６】
前記洗浄液付与工程は、前記インクジェットヘッドと前記洗浄液付与手段とを前記インクジェットヘッドの長手方向について相対的に移動させながら実行され、
前記掻取工程は、前記インクジェットヘッドと前記掻取部材とを前記インクジェットヘッドの長手方向について相対的に移動させながら実行され、
前記払拭工程は、前記インクジェットヘッドと前記払拭工程において前記液体吐出面を払拭する払拭部材とを、前記インクジェットヘッドの長手方向について相対的に移動させながら実行されることを特徴とする請求項１５に記載のインクジェットヘッドの洗浄方法。
【手続補正２】
【補正対象書類名】明細書
【補正対象項目名】０１９６
【補正方法】変更
【補正の内容】
【０１９６】
（第９態様）：第９態様に係る液体吐出装置は、複数のヘッドモジュールを長手方向につなぎ合わせて構成されるインクジェットヘッドと、前記インクジェットヘッドを洗浄する洗浄装置と、を備え、前記洗浄装置は、前記インクジェットヘッドの液体吐出面に洗浄液を付与する洗浄液付与手段と、隣接するヘッドモジュール間の前記長手方向における隙間に挿入可能な形状を有する先端部を具備し、前記洗浄液付与手段によって前記液体吐出面に洗浄液が付与された後に、前記先端部を前記隙間の中に挿入させて前記隙間の中の洗浄液を掻き取る掻取部材と、前記掻取部材によって前記隙間内の洗浄液が掻き取られた後に、前記液体吐出面を払拭する払拭部材と、を備えている。
【手続補正３】
【補正対象書類名】明細書
【補正対象項目名】０２０３
【補正方法】変更
【補正の内容】
【０２０３】
（第１３態様）：第１３に係る液体吐出装置は、前記洗浄液付与手段は、前記液体吐出面の傾斜に対応して水平面に対して傾けられ、洗浄液の膜が形成される洗浄液膜保持面を具備するとともに、前記洗浄液膜保持面の傾斜上部から前記洗浄液膜保持面へ洗浄液を供給する洗浄液供給部を具備し、前記洗浄液膜保持面に形成された洗浄液膜を前記液体吐出面に接触させて、前記液体吐出面に洗浄液を付与し、前記掻取部材は、前記洗浄液供給部により洗浄液が供給される位置に対応する前記隙間の位置に挿入される。
【手続補正４】
【補正対象書類名】明細書
【補正対象項目名】０２０６
【補正方法】変更
【補正の内容】
【０２０６】
（第１５態様）：第１５態様に係るインクジェットヘッドの洗浄方法は、複数のヘッドモジュールを長手方向につなぎ合わせて構成されるインクジェットヘッドの液体吐出面に洗浄液を付与する洗浄液付与工程と、隣接するヘッドモジュール間の前記長手方向における隙間に挿入可能な形状を有する先端部を具備し、前記インクジェットヘッドの液体吐出面に洗浄液を付与する洗浄液付与手段によって前記液体吐出面に洗浄液が付与された後に、掻取部材の先端部を前記隙間の中に挿入させて前記隙間の中の洗浄液を掻き取る掻取工程と、前記掻取部材によって前記隙間内の洗浄液が掻き取られた後に、前記液体吐出面を払拭する払拭工程と、を含んでいる。
【手続補正５】
【補正対象書類名】明細書
【補正対象項目名】０２０７
【補正方法】変更
【補正の内容】
【０２０７】
（第１６態様）：第１６に係るインクジェットヘッドの洗浄方法は、前記洗浄液付与工程は、前記インクジェットヘッドと前記洗浄液付与手段とを前記インクジェットヘッドの長手方向について相対的に移動させながら実行され、前記掻取工程は、前記インクジェットヘッドと前記掻取部材とを前記インクジェットヘッドの長手方向について相対的に移動させながら実行され、前記払拭工程は、前記インクジェットヘッドと前記払拭工程において前記液体吐出面を払拭する払拭部材とを、前記インクジェットヘッドの長手方向について相対的に移動させながら実行される。